(57)【要約】  ウェブ状印刷基材に対してインクジェットインクで画像形成する際、インクを吐出するためのノズルが詰まり難く、べた塗り印刷時にスジが入ったり、濃度ムラが起こり難く、且つ単色印刷部分の濃度が上がり易い、インクジェットプリンタ及びインクジェット印刷方法を提供する。  ウェブ状印刷基材に対してシングルパス方式でインクジェットインクを吐出することにより画像形成を行なうインクジェットインク用のインクジェットプリンタであって、前記ウェブ状印刷基材の連続的な搬送を行なう搬送機構と、前記搬送機構によって搬送される前記ウェブ状印刷基材の表面に対してインクジェットインクを吐出する複数のシングルパス方式インクジェットヘッドと、前記ウェブ状印刷基材の表面に吐出されたインクジェットインクを硬化する硬化デバイスと、を含み、前記複数のシングルパス方式インクジェットヘッドの解像度を前記インクジェットインクの色に応じて変更せしめるようにした。
2019159859.tif 000002
【特許請求の範囲】
【請求項１】
ウェブ状印刷基材に対してシングルパス方式でインクジェットインクを吐出することにより画像形成を行なうインクジェットインク用のインクジェットプリンタであって、
前記ウェブ状印刷基材の連続的な搬送を行なう搬送機構と、
前記搬送機構によって搬送される前記ウェブ状印刷基材の表面に対してインクジェットインクを吐出する複数のシングルパス方式インクジェットヘッドと、
前記ウェブ状印刷基材の表面に吐出されたインクジェットインクを硬化する硬化デバイスと、
を含み、
前記複数のシングルパス方式インクジェットヘッドの解像度を前記インクジェットインクの色に応じて変更せしめるようにした、インクジェットプリンタ。
【請求項２】
前記インクジェットインクの色が白色であり、白色インクを吐出するインクジェットヘッドの解像度が、非白色インクを吐出するインクジェットヘッドの解像度より低いことを特徴とする請求項１記載のインクジェットプリンタ。
【請求項３】
前記複数のシングルパス方式インクジェットヘッドが、解像度が異なるインクジェットヘッドを備えてなることを特徴とする請求項１又は２記載のインクジェットプリンタ。
【請求項４】
複数のシングルパス方式インクジェットヘッドを含むインクジェットプリンタを用い、ウェブ状印刷基材に対してシングルパス方式でインクジェットインクを吐出することにより画像形成を行なうようにしたインクジェット印刷方法であって、
前記複数のシングルパス方式インクジェットヘッドの解像度を前記インクジェットインクの色に応じて変更せしめるようにした、インクジェット印刷方法。
【請求項５】
前記インクジェットインクの色が白色であり、白色インクを吐出するインクジェットヘッドの解像度が、非白色インクを吐出するインクジェットヘッドの解像度より低いことを特徴とする請求項４記載のインクジェット印刷方法。
【発明の詳細な説明】
【技術分野】
【０００１】
本発明は、ウェブ状印刷基材に対してインクジェットインクでシングルパス方式の画像形成をするためのインクジェットプリンタ及びインクジェット印刷方法に関する。
【背景技術】
【０００２】
印刷基材を連続的に搬送しながら印刷するにあたっては、スキャン方式とシングルパス方式とがあるが、スキャンする必要がないため特にウェブ状印刷基材を連続的に搬送しながら印刷するにはシングルパス方式の方が高速印刷に向いている。水性インクでシングルパス方式の画像形成をするためのインクジェットプリンタとしては、例えば、特許文献１に記載されたものがある。シングルパス方式のインクジェットプリンタでは、ライン状に並べられた複数のインクジェットノズルを有するインクジェットヘッドからインクを吐出する。【０００３】
従来、シングルパスインクジェット装置で多色印刷を行なう際には各色（白色（Ｗ），ブラック（Ｋ），シアン（Ｃ），マゼンタ（Ｍ），イエロー（Ｙ）など）のインクジェットインクを吐出する複数のシングルパス方式インクジェットヘッドが用いられるが、各インクジェットヘッドは同一の解像度で印刷が行われていた。インクジェットプリンタで印刷された画像は、インク滴が小さい（例えば数ピコリットル程度）方が、より高解像度となる。しかし、インク滴が小さくなればなるほど、インクを吐出するためのノズルが詰まり易くなる。また、べた塗り印刷時にスジが入ったり、濃度ムラが起こり易い。特に白色を印刷する場合には、濃度ムラが起こり易いという問題があった。特に、白色の場合には印刷された画像の濃度が上がりにくく、所定の白色の濃度とするためには何度も印刷を重ねたりする必要があった。水性インクの場合にはこの問題はさらに顕著なものとなる。【０００４】
また、ウェブ状印刷基材に対してインクジェットインクでシングルパス方式の画像形成をするためのインクジェットプリンタでは、基材を連続的に搬送する装置構成のため、スキャン方式のインクジェットプリンタのインク吐出技術をそのまま転用することは難しい。
【先行技術文献】
【特許文献】
【０００５】
【特許文献１】ＷＯ２０１７／１１０４４１
【発明の開示】
【発明が解決しようとする課題】
【０００６】
本発明は、ウェブ状印刷基材に対してインクジェットインクで画像形成する際、インクを吐出するためのノズルが詰まり難く、べた塗り印刷時にスジが入ったり、濃度ムラが起こり難く、且つ単色印刷部分の濃度が上がり易い、インクジェットプリンタ及びインクジェット印刷方法を提供することを目的とする。
【課題を解決するための手段】
【０００７】
上記課題を解決するため、本発明のインクジェットプリンタは、ウェブ状印刷基材に対してシングルパス方式でインクジェットインクを吐出することにより画像形成を行なうインクジェットインク用のインクジェットプリンタであって、前記ウェブ状印刷基材の連続的な搬送を行なう搬送機構と、前記搬送機構によって搬送される前記ウェブ状印刷基材の表面に対してインクジェットインクを吐出する複数のシングルパス方式インクジェットヘッドと、前記ウェブ状印刷基材の表面に吐出されたインクジェットインクを硬化する硬化デバイスと、を含み、前記複数のシングルパス方式インクジェットヘッドの解像度を前記インクジェットインクの色に応じて変更せしめるようにした、インクジェットプリンタである。【０００８】
前記インクジェットインクの色が白色であり、白色インクを吐出するインクジェットヘッドの解像度が、非白色インクを吐出するインクジェットヘッドの解像度より低いのが好ましい。インクジェットインクとしては、水性インク又はＵＶ（紫外線）硬化型インクが好ましく、特に水性インクが好適に用いられる。【０００９】
前記複数のシングルパス方式インクジェットヘッドが、解像度が異なるインクジェットヘッドを備えてなるのが好適である。【００１０】
本発明のインクジェット印刷方法は、複数のシングルパス方式インクジェットヘッドを含むインクジェットプリンタを用い、ウェブ状印刷基材に対してシングルパス方式でインクジェットインクを吐出することにより画像形成を行なうようにしたインクジェット印刷方法であって、前記複数のシングルパス方式インクジェットヘッドの解像度を前記インクジェットインクの色に応じて変更せしめるようにした、インクジェット印刷方法である。【００１１】
前記インクジェットインクの色が白色であり、白色インクを吐出するインクジェットヘッドの解像度が、非白色インクを吐出するインクジェットヘッドの解像度より低いのが好適である。【００１２】
シングルパス方式インクジェットヘッドとは、ライン状に並べられた複数のインクジェットノズルを有するインクジェットヘッドである。【００１３】
なお、前記画像形成とは、インクジェットプリンタでの印刷は、吐出したインク滴のドット群によってデジタルイメージが作成されることから、吐出したインク滴のドット群によってデジタルイメージが作成されることを指す。【００１４】
前記ウェブ状印刷基材としては透明なフィルムの他、紙や不織布などの不透明なウェブ状印刷基材も適用できる。透明なフィルムのウェブ状印刷基材としては、ＰＥＴ（ポリエチレンテレフタレート）、ＰＶＣ（ポリ塩化ビニル）やＰＰ（ポリプロピレン）などのウェブ状合成樹脂フィルムを用いた透明なフィルムが好適に使用できる。
【発明の効果】
【００１５】
本発明によれば、ウェブ状印刷基材に対してインクジェットインクで画像形成する際、インクを吐出するためのノズルが詰まり難く、べた塗り印刷時にスジが入ったり、濃度ムラが起こり難く、且つ単色印刷部分の濃度が上がり易い、インクジェットプリンタ及びインクジェット印刷方法を提供することができるという著大な効果を有する。
【図面の簡単な説明】
【００１６】
【図１】本発明のインクジェットプリンタの一つの実施の形態を示す断面構造図である。
【図２】本発明のインクジェットプリンタを用いて、インクジェットインクの色に応じて画像解像度が異なるようにした画像形成の例を示す模式図である。
【図３】解像度の異なる二種類ヘッドでの吐出制御の一つの実施の形態を示すシステムブロック図である。
【図４】解像度の異なる二種類ヘッドでの吐出制御の一つの実施の形態における、エンコーダー設定のフローチャートである。
【図５】解像度の異なる二種類ヘッドでの吐出制御の一つの実施の形態における、ヘッド吐出タイミング設定のフローチャートである。
【図６】解像度の異なる二種類ヘッドでの吐出制御の一つの実施の形態における、ヘッド波形データ制御のフローチャートである。
【発明を実施するための形態】
【００１７】
以下に本発明の実施の形態を説明するが、これら実施の形態は例示的に示されるもので、本発明の技術思想から逸脱しない限り種々の変形が可能なことはいうまでもない。なお、同一部材は同一符号で表される。
【００１８】
図１は本発明のインクジェットプリンタの一つの実施の形態を示す断面構造図である。図１において、符号１０は本発明のインクジェットプリンタを示す。インクジェットプリンタ１０は、ウェブ状印刷基材１２に対してシングルパス方式で水性インクを吐出することにより画像形成を行なう水性インク用のインクジェットプリンタであって、前記ウェブ状印刷基材１２の連続的な搬送を行なう搬送機構１４（図示例では搬送機構１４ａ及び１４ｂ）と、前記搬送機構１４によって搬送される前記ウェブ状印刷基材１２の表面に対しシングルパス方式で水性インクを吐出するシングルパス方式インクジェットヘッド１６ａ〜１６ｅと、前記ウェブ状印刷基材１２の表面に吐出された水性インクを乾燥する乾燥デバイス（１８ａ〜１８ｆ，３６）と、を含み、前記複数のシングルパス方式インクジェットヘッド１６ａ〜１６ｅの解像度を前記水性インクの色に応じて変更せしめるようにした、インクジェットプリンタである。
【００１９】
図示例では、インクジェットインクとして水性インクの例を示したため、インクジェットインクを硬化する硬化デバイスとして、乾燥デバイス１８ａ〜１８ｆ，３６の例を示した。インクジェットインクとしてＵＶ硬化型インクを使用する場合には、乾燥デバイスの代わりに、紫外線照射デバイスを設置すればよい。
【００２０】
なお、前記画像形成とは、インクジェットプリンタでの印刷は、吐出したインク滴のドット群によってデジタルイメージが作成されることから、吐出したインク滴のドット群によってデジタルイメージが作成されることを指す。従って、本願明細書において、印刷と画像形成とは同義である。
【００２１】
図１に示した如く、前記シングルパス方式インクジェットヘッド１６ａ〜１６ｅは、ライン状に並べられた複数のインクジェットノズルを有するインクジェットヘッドである。前記複数のシングルパス方式インクジェットヘッド１６ａ〜１６ｅが、解像度が異なるインクジェットヘッドを備えている。図示例では、シングルパス方式インクジェットヘッド１６ａ〜１６ｅの各々を各色に対応させて解像度を予め設定したインクジェットヘッドとしてある。インクジェットヘッド１６ａは解像度が３６０ｄｐｉのＷ（白色）、インクジェットヘッド１６ｂは解像度が６００ｄｐｉのＢ（ブラック）、インクジェットヘッド１６ｃは解像度が６００ｄｐｉのＣ（シアン）、インクジェットヘッド１６ｄは解像度が６００ｄｐｉのＭ（マゼンタ）、インクジェットヘッド１６ｅは解像度が６００ｄｐｉのＹ（イエロー）の例を示した。
【００２２】
このように解像度を設定するには、ライン状に設置される複数のインクジェットノズルの吐出口の大きさと吐出口の数（即ちノズルの本数）、ノズルの間隔、インクの液適量などを調整すれば解像度を決めることができる。
【００２３】
インクジェットヘッド１６ａ〜１６ｅの各色の解像度は必要に応じて適宜設定すればよく、特に制限はないが、白色水性インクを吐出するインクジェットヘッドの解像度が、非白色水性インクを吐出するインクジェットヘッドの解像度より低いことが好適である。白色水性インクを吐出するインクジェットヘッドの解像度を、非白色水性インクを吐出するインクジェットヘッドの解像度より下げることにより、インクジェットヘッドのノズルの詰まりを防止し且つ高精細で白濃度が濃い印刷を可能とすることができる。
【００２４】
水性インクを吐出するシングルパス方式インクジェットヘッド１６ａ〜１６ｅとしては、図示例では、インクジェットヘッド１６ａはＷ（白色）、インクジェットヘッド１６ｂはＢ（ブラック）、インクジェットヘッド１６ｃはＣ（シアン）、インクジェットヘッド１６ｄはＭ（マゼンタ）、インクジェットヘッド１６ｅはＹ（イエロー）の例を示し、各色のインク貯留タンク（図示は省略）を各々有しており、各インクジェットヘッド１６ａ〜１６ｅから各色の水性インクが吐出される構成となっている。これらのインクジェットヘッドとしては、公知の種々のシングルパス方式インクジェット吐出装置が適用可能である。例えば、特許文献１に記載のインクジェットヘッドを各インクジェットヘッドとして使用できる。
【００２５】
インクジェットヘッド１６ａ〜１６ｅのノズルからインクを吐出する方式としては特に制限はなく、例えば、ピエゾ素子による電圧印加により電圧を制御し、インクの吐出量を制御するピエゾ方式や、ヒータにより加熱によりインクを吐出するサーマル（バブル）方式、バルブによりインクを加圧してインクを吐出するバルブ方式等が好適である。
【００２６】
前記搬送機構１４は、ウェブ状印刷基材１２が搬送できるものであれば公知の機構がいずれも適用できるが、図示したように、駆動ベルト２０，３４と、ウェブ状印刷基材１２を巻いておく原反ローラ２２と、ウェブ状印刷基材１２を搬送するための種々のローラ２４，２６，２８，３０と、印刷されたウェブ状印刷基材１２を巻き取る巻き取りローラ３２と、を含む構成が採用できる。なお、符号Ｏは、インクジェットプリンタのオペレータである。
【００２７】
また、ウェブ状印刷基材１２を巻いておく原反ローラ２２は、乾燥デバイスである加温ボックス３６内に入れられており、ここで６０℃〜７０℃に予め加温（プレヒーティング）されている。加温ボックス３６内での加温の仕方としては、温風で加温したりしてもよいし、種々の公知のヒータによる加温でもよい。図示の例では、加温ボックス３６内を温風で加温する構成を示した。
【００２８】
ウェブ状印刷基材１２はウェブ状の印刷基材であれば良いものであるが、例えば、前記ウェブ状印刷基材としては透明なフィルムの他、紙や不織布などの不透明なウェブ状印刷基材も適用できる。フィルムの材質に特別の限定はないが、例えばフィルムのウェブ状印刷基材として、ＰＥＴ（ポリエチレンテレフタレート）、ＰＶＣ（ポリ塩化ビニル）、ＰＰ（ポリプロピレン）、ＰＥ（ポリエチレン）、ＰＳ（ポリスチレン）、ＮＹ（ナイロン）などの合成樹脂を用いたフィルムなどが好適に使用できる。或いは、アルミニウムなどの金属をフィルム状とした、金属フィルムも好適に使用できる。
【００２９】
また、図１では、水性インクを吐出するインクジェットヘッド１６ａ〜１６ｅのインクジェットヘッドの隣に、乾燥デバイスとして水性インクが吐出されたウェブ状印刷基材１２の少なくとも表面を加温する表面加温部１８ａ〜１８ｆを設けた例を示した。表面加温部１８ａ〜１８ｆとしては例えば特許文献１に記載された表面加温部を適用することができ、特許文献１に記載された温風吹き付け手段などを表面加温部１８ａ〜１８ｆとして適用できる。表面加温部として温風吹き付け手段を採用する場合、４０℃〜８０℃程度、例えば７０℃の温風が前記ウェブ状印刷基材１２の表面に当てられる。温風を当てる時間としては、印刷速度が３０ｍ／分の場合、１秒〜２秒程度であるが、温風の温度によっても適宜変更される。
【００３０】
さらに、図１の例では、ウェブ状印刷基材１２を裏面から加温するための、裏面加温部３８を設けた例を示した。裏面加温部３８としては、公知のホットプレートを用いることができ、例えば、セラミック板にフィラメントを配設した電熱ヒータなどを使用することができる。裏面加温部３８としてホットプレートを用いる場合、例えば４０℃〜６５℃に加温して使用すると好適である。裏面加温部３８は、前記インクジェットヘッド１６ａ〜１６ｅに対応して設ければよいもので、図１に示すように、前記インクジェットヘッド１６ａ〜１６ｅの設置位置に亘って設けるようにしてもよいし、前記インクジェットヘッド１６ａ〜１６ｅの設置位置に夫々応じて設けるようにすることもできる。
【００３１】
また、裏面加温部３８として、表面加温部と同様の温風吹き付け手段も使用することもできる。また、裏面加温部３８として温風吹き付け手段を用いる場合、例えば４０℃〜８０℃の温風をウェブ状印刷基材１２の裏面に当てると好適である。
【００３２】
図２は、本発明のインクジェットプリンタを用いて、水性インクの色に応じて画像解像度が異なるようにした画像形成の例を示す模式図であり、符号４０は白色画像、符号４２は非白色画像である。図２における画像形成の条件を下記表１に示す。
【００３３】
【表１】
2019159859.tif 000003
【００３４】
表１に示す如く、図２では、白色水性インク（Ｗ）を吐出するインクジェットヘッドの解像度を、非白色水性インク（Ｂ，Ｃ，Ｍ，Ｙ）を吐出するインクジェットヘッドの解像度より低く設定して、画像形成を行なった例を示した。また、白色水性インク（Ｗ）を吐出するインクジェットヘッドの液適量を、非白色水性インク（Ｂ，Ｃ，Ｍ，Ｙ）を吐出するインクジェットヘッドの液適量より多く設定し、白色水性インク（Ｗ）を吐出するインクジェットヘッドのノズルピッチを、非白色水性インク（Ｂ，Ｃ，Ｍ，Ｙ）を吐出するインクジェットヘッドのノズルピッチよりも大に設定した。さらに、非白色水性インク（Ｂ，Ｃ，Ｍ，Ｙ）に比べて固形分及び粘度が高い白色水性インク（Ｗ）を用いた。このようにすることにより、白色水性インクの乾燥がさらに早められる為、印刷速度をさらに早くすることができる。図２の例では、印刷速度３０ｍ／分で印刷を行った。
【００３５】
表１の条件により画像形成した印刷物の白濃度を下記方法により測定した。
印刷物に黒色テープを貼り、その黒の反射濃度を測定する。なお、黒の反射濃度が高いとは、白の濃度が低いことを意味する。表１の条件により画像形成した印刷物の黒の反射濃度は０．６０であり、１回の印刷で白濃度が濃い印刷物を得ることができた。
一方、白色水性インクを含む全色のインクジェットヘッドの解像度を同一の６００ｄｐｉとし、全色の水性インクを表１に示した非白色水性インクの条件で画像形成し、従来の印刷速度である２０ｍ／分で印刷を行った結果、黒の反射濃度は０．７５であり、白濃度が低かった。
【００３６】
次に、白色水性インク（Ｗ）を吐出するインクジェットヘッドの解像度を３６０ｄｐｉとし、非白色水性インクであるＢ（ブラック）、Ｃ（シアン）、Ｍ（マゼンタ）、Ｙ（イエロー）を吐出するインクジェットヘッドの解像度を６００ｄｐｉとした、解像度の異なる二種類ヘッドでの吐出制御の一つの実施の形態を以下に説明する。
【００３７】
図３は、解像度の異なる二種類ヘッドでの吐出制御の一つの実施の形態を示すシステムブロック図である。図３において、符号４４は、インクジェットヘッドのヘッド構成コンフィグレーションであり、白色水性インク（Ｗ）のインクジェットヘッド（解像度３６０ｄｐｉ）１個及び非白色水性インク（Ｂ，Ｃ，Ｍ，Ｙ）のインクジェットヘッド（解像度６００ｄｐｉ）４個の二種類の設定がされている。
【００３８】
符号４６はスプーラーモジュール、符号４８はフィルタモジュールである。符号５０は非白色水性インク用インクジェットヘッド（６００ｄｐｉ）のラスタデータ、符号５２は白色水性インク用インクジェットヘッド（３６０ｄｐｉ）のラスタデータ、をそれぞれ示す。
【００３９】
符号５４はＩＦ（インターフェース）基板制御モジュール（DCM: Device Control Module）であり、符号５６は印刷データ転送用インターフェース基板のデバイスドライバである。
【００４０】
符号５８は非白色水性インク用インクジェットヘッド（６００ｄｐｉ）の印刷データ転送用ＩＦ（インターフェース）基板であり、符号６０は白色水性インク用インクジェットヘッド（３６０ｄｐｉ）の印刷データ転送用ＩＦ（インターフェース）基板である。
【００４１】
符号６２は、印刷データ転送用ＩＦ（インターフェース）基板５８及び印刷データ転送用ＩＦ（インターフェース）基板６０に接続して使用する差動ＩＯ基板である。差動ＩＯ基板６２にはエンコーダー６４が接続されている。
【００４２】
印刷データ転送用ＩＦ基板５８には、Ｂ（ブラック）インクのインクジェットヘッドのためのインクジェットヘッド制御用ＩＦ（インターフェース）基板６６Ｋ１，６６Ｋ２，６６Ｋ３，６６Ｋ４がそれぞれ接続されている。同様に、印刷データ転送用ＩＦ基板５８には、Ｃ（シアン）インクのインクジェットヘッドのためのインクジェットヘッド制御用ＩＦ（インターフェース）基板６８Ｃ１，６８Ｃ２，６８Ｃ３，６８Ｃ４がそれぞれ接続されている。
【００４３】
同様に、印刷データ転送用ＩＦ基板５８には、Ｍ（マゼンタ）インクのインクジェットヘッドのためのインクジェットヘッド制御用ＩＦ（インターフェース）基板７０Ｍ１，７０Ｍ２，７０Ｍ３，７０Ｍ４がそれぞれ接続されている。同様に、印刷データ転送用ＩＦ基板５８には、Ｙ（イエロー）インクのインクジェットヘッドのためのインクジェットヘッド制御用ＩＦ（インターフェース）基板７２Ｙ１，７２Ｙ２，７２Ｙ３，７２Ｙ４がそれぞれ接続されている。
【００４４】
一方、印刷データ転送用ＩＦ基板６０には、Ｗ（ホワイト）インクのインクジェットヘッドのためのインクジェットヘッド制御用ＩＦ（インターフェース）基板７４Ｗ１，７４Ｗ２，７４Ｗ３，７４Ｗ４，７４Ｗ５がそれぞれ接続されている。
【００４５】
このように、光ファイバケーブルで印刷データ転送用ＩＦ基板５８の光ポート１〜４に非白色インクのインクジェットヘッド制御用ＩＦ基板を接続し、印刷データ転送用ＩＦ基板６０の光ポート１に白色インクのインクジェットヘッド制御用ＩＦ基板を接続し、ＩＦ基板２枚にて非白色インクと白色インクの二種類のインクジェットヘッドを制御する。即ち、解像度が６００ｄｐｉのインクジェットヘッド用ＩＦ基板７６と解像度が３６０ｄｐｉのインクジェットヘッド用ＩＦ基板７８の二種類を用いている。
【００４６】
フィルタモジュール４８はヘッド構成コンフィグレーション４４を参照することにより各色データがどのインクジェットヘッドに割り当てられているかを判断し、インクジェットヘッドに応じた解像度のラスタデータを出力する。また、その際に解像度の違いによる画像高さ画素数の差異による連続印刷時の版ずれを防ぐための補正処理を行う。
【００４７】
ＩＦ基板制御モジュール５４は、フィルタモジュール４８が生成した各ヘッド用のラスタデータ５０，５２をヘッド構成コンフィグレーション４４を参照してヘッド個別処理を実行しながら、各インクジェットヘッド制御用ＩＦ基板６６Ｋ１，６６Ｋ２，６６Ｋ３，６６Ｋ４，６８Ｃ１，６８Ｃ２，６８Ｃ３，６８Ｃ４，７０Ｍ１，７０Ｍ２，７０Ｍ３，７０Ｍ４，７２Ｙ１，７２Ｙ２，７２Ｙ３，７２Ｙ４，７４Ｗ１，７４Ｗ２，７４Ｗ３，７４Ｗ４，７４Ｗ５に転送し、各インクジェットヘッドから各色を吐出せしめる印刷処理を実行する。
【００４８】
なお、各インクジェットヘッドを制御する２枚の印刷データ転送用ＩＦ基板５８，６０は、専用ハーネスによりカスケード接続されており、共通で入力されるエンコーダーパルスを印刷データ転送用ＩＦ基板５８では６００ｄｐｉ相当の解像度、印刷データ転送用ＩＦ基板６０では３６０ｄｐｉ相当の解像度に分周／逓倍処理を行い各ヘッドの解像度使用に応じたパルスに変換して使用する。
【００４９】
ヘッド構成コンフィグレーション４４には、白色インク用のインクジェットヘッド又は非白色インク用のインクジェットヘッドの種別、並びにヘッド解像度（６００ｄｐｉ又は３６０ｄｐｉ）が登録されており、その他、印刷データ転送用ＩＦ基板の構成（基板の数、基板の使用光ポート数、接続ヘッド種別など）やインクジェットヘッド制御用ＩＦ基板の構成（光ポート毎の基板数、基板に接続されるヘッド数など）も登録されている。
【００５０】
印刷要求があると、ＩＦ基板制御モジュール５４は、ヘッド構成コンフィグレーション４４を参照することにより、どの光ポートにどのヘッドが接続されているかを認識して、エンコーダー設定処理、ヘッド吐出タイミング設定処理、インクジェットヘッドの駆動波形データ制御を行うヘッド波形データ制御処理などを行う。
【００５１】
エンコーダー設定処理を図４に示す。図４に示されるように、各ヘッド種別に応じてエンコーダーの設定を分岐させてエンコーダーの設定が完了する。
【００５２】
ヘッド吐出タイミング設定処理を図５に示す。図５に示されるように、各ヘッド種別に応じてヘッド吐出タイミング設定を分岐させてヘッド吐出タイミングの設定が完了する。
【００５３】
ヘッド波形データ制御処理を図６に示す。図６に示されるように、各ヘッド種別に応じてヘッド波形データ制御の設定を分岐させてヘッド波形データ制御の設定が完了する。
【００５４】
そして、印刷要求があった場合には、エンコーダー設定、ヘッド吐出タイミング設定、ヘッド波形データ制御、ヘッドノズル数に応じたラスタデータ分割設定、ヘッド駆動電圧制御、画像データ転送、トリガ信号受信→吐出、というヘッド個別の処理フローを経て、各インクジェットヘッドから各色のインクの吐出が行われる。このようにして、解像度の異なる二種類ヘッドでの吐出制御を行うことができる。
【００５５】
上述した如く、本発明のインクジェットプリンタを用い、白色インクを吐出するインクジェットヘッドの解像度を、非白色インクを吐出するインクジェットヘッドの解像度より低くすることにより、白色インクのインク滴が大きくなり、べた塗り印刷時にスジや濃度ムラが起こり難く、さらに、インクジェットヘッドのノズルの詰まりを防止することができ、且つ１回の印刷により白濃度の濃い印刷物を得ることができる。さらにはまた、低解像度の方がインク滴が大きくなり濃度が上がるため単色で印刷をする部分の濃度を上げやすくなり、色濃度の濃い印刷物を得ることができる。このため、従来は、例えば白色インクの場合には何回も白色を重ねて印刷をしたりしていたが、そのような重ね刷り印刷をする必要がなくなるという利点もある。
【符号の説明】
【００５６】
１０：インクジェットプリンタ、１２：ウェブ状印刷基材、１４，１４ａ，１４ｂ：搬送機構、１６ａ〜１６ｅ：シングルパス方式インクジェットヘッド、１８ａ〜１８ｆ：乾燥デバイス，表面加温部、２０，３４：駆動ベルト、２２：原反ローラ、２４，２６，２８，３０：ローラ、３２：巻取りローラ、３６：乾燥デバイス，加温ボックス、３８：裏面加温部、４０：白色画像、４２：非白色画像、４４：ヘッド構成コンフィグレーション、４６：スプーラーモジュール、４８：フィルタモジュール、５０：非白色水性インク用インクジェットヘッドのラスタデータ、５２：白色水性インク用インクジェットヘッドのラスタデータ、５４：ＩＦ基板制御モジュール、５６：デバイスドライバ、５８：非白色水性インク用インクジェットヘッドの印刷データ転送用ＩＦ基板、６０：白色水性インク用インクジェットヘッドの印刷データ転送用ＩＦ基板、６２：差動ＩＯ基板、６４：エンコーダー、６６Ｋ１，６６Ｋ２，６６Ｋ３，６６Ｋ４：Ｂインクのインクジェットヘッド制御用ＩＦ基板、６８Ｃ１，６８Ｃ２，６８Ｃ３，６８Ｃ４：Ｃインクのインクジェットヘッド制御用ＩＦ基板、７０Ｍ１，７０Ｍ２，７０Ｍ３，７０Ｍ４：Ｍインクのインクジェットヘッド制御用ＩＦ基板、７２Ｙ１，７２Ｙ２，７２Ｙ３，７２Ｙ４：Ｙインクのインクジェットヘッド制御用ＩＦ基板、７４Ｗ１，７４Ｗ２，７４Ｗ３，７４Ｗ４，７４Ｗ５：Ｗインクのインクジェットヘッド制御用ＩＦ基板、７６：解像度６００ｄｐｉのインクジェットヘッド用ＩＦ基板、７８：解像度３６０ｄｐｉのインクジェットヘッド用ＩＦ基板、Ｏ：オペレータ。
【図１】
2019159859.tif 000004
【図２】
2019159859.tif 000005
【図３】
2019159859.tif 000006
【図４】
2019159859.tif 000007
【図５】
2019159859.tif 000008
【図６】
2019159859.tif 000009
【国際調査報告】
2019159859.tif 000010
2019159859.tif 000011
2019159859.tif 000012
2019159859.tif 000013